(57)【要約】      （修正有）【課題】大量の情報を記憶可能な印字式テープ記憶方式の提供。【解決手段】熱転写方式あるいは感熱紙方式の印字方式で以て紙テープあるいは感熱紙テープに、情報を、０〜９の十進法の数字で以て或いは場合によってはそれらに特定文字を加えてコード化して印字して記憶しうるようにし、そして、そのテープの印字コードに光を投射して、その反射光をレンズで以てピントグラスに拡大結像させて、その拡大した文字コードを数字コード読取装置などの文字コード読取装置で以て読み取りうるようにした、印字式テープ記憶方式。なお、この場合の印字と読取りにおいては、テープの走行が瞬間停止するようにする。【選択図】なし【特許請求の範囲】
【請求項１】
熱転写方式あるいは感熱紙方式の印字方式で以て紙テープあるいは感熱紙テープに、情報を、０〜９の十進法の数字で以ておよび場合によってはそれらに特定文字を加えてコード化して印字して記憶しうるようにし、そして、そのテープの印字コードに光を投射して、その反射光をレンズで以てピントグラスに拡大結像させて、その拡大した文字コードを数字コード読取装置などの文字コード読取装置で以て読み取りうるようにした、印字式テープ記憶方式。  なお、この場合の印字と読取りにおいては、テープの走行が瞬間停止するようにする。
【請求項２】
「請求項１」における「印字式テープ記憶方式」における「紙テープあるいは感熱紙テープ」を「紙カードあるいは感熱紙カード」に代えて機能しうるようにした、印字式カード記憶方式。  なお、この場合も印字と読取りにおいては、カードの走行を瞬間停止するようにする。
【請求項３】
「請求項２」における「印字式カード記憶方式」における「印字方式」で以て、伝票には数字を含む特定文字で以て印字し、またカードには伝票の印字情報を数字コードあるいは数字＋特定文字コードで以て印字しうるようにした、携帯式あるいは設置式の印字式カード発行機および印字式伝票＋カード発行機。
【請求項４】
ワードプロセッサーにおいて、文章を作成して清書する時折に、それと同時に、その清書と同一のコピーが採れるように、印字文字の符号（コード）からカーソルの位置（頁、行、桁）の符号や文字の大きさの符号など必要な全ての符号を「請求項１」における「印字式テープ記憶方式」で以てテープ特に感熱紙テープに記録しうるようにし、その印字テープで以て、その印字テープ上のコードを、有線方式で以て発信しうるワードプロセッサーあるいはＷｏｒｄｓＴｅｌｅＣａｓｔｅｒ（文章専用発信機）およびそれを受信しうるワードプロセッサーあるいはワードライター（受信専用印字機）などに依って構成される有線の所謂「電子新聞」などの文章送信受信体系（システム）とその個々の装置。
【発明の詳細な説明】
【発明の詳細な説明】
今日、企業は、世界的規模に超大となっている。その会計（個人や企業などの経済活動状況を一定の計算方法で記録し、情報化すること）処理量ときたら膨大なものであろう。人手を以てしては、とても所定の期間内に処理できるものではない。  どうしても、機械に頼らなくてはならない。今日では、スーパーコンピューター（並列処理機能などの採用によって大量のデータの超高速処理を実現したコンピューター）によって処理されていると言うが、会社勤めを止めてから３０年近くなるので、その実用ぶりは殆ど判らない。  一年くらい前だったか、録音媒体を研究していて判ったのであるが、私が使っていた頃の紙テープに代って用いられていると言う磁気テープが、何故か、最初から、録音磁気テープと同じ軟鉄粉テープだと言うのである。これでは、テープ上に永久磁石の記号を印すことはできない。どうも怪しいものだと思えて来た。  そこで、「永久磁石鋼記憶媒体（ＳｔｅｅｌＴａｐｅとＳｔｅｅｌＳｈｅｅｔ）（特願２００３−５４９４２）」を出願して、対策案を出している。  我国の自動車の登録台数は、約７５００万台であるが、これをコンピューターで管理するとなると、００００００００〜７４９９９９９９までの７５００万本のコードを用いなくてはならない。二進法では、０は０、５は１０１、１０は１０１０、５０は１１００１０、１００は１１００１００、１０００は１１１１００１００、１００００は１００１１１０００１０００、そして７５００万は１０の２７乗桁となる。即ち、十進法では８桁であるが、二進法に直すと２７桁も必要となる。  一昔前の富士通のＦ６０３１磁気テープ記憶装置は記憶密度１６００ＲＰＩ（ＲｅｃｏｒｄｓＰｅｒＩｎｃｈ）、トラック数９トラック、データ転送速度１２０キロバイト／秒、テープ幅１２．５ｍｍであった。  今、これを参考にスチールテープによる磁気記憶方式で以て、７５００万台の自動車検査登録を管理する場合を考えて見よう。  二進法２７桁の車コードは、１バイト８ビットに３桁のバイトコードと５桁のデータビットを入れた、６バイトで以て記憶する。  検査証の項目は、５０に分けて記憶し、各項目に６ビットのコードを付ける。各項目は、十進法６桁を二進法２０ビットで表さなくてはならないため、１バイトをバイトコード２ビットとデータビット６ビットの計８ビットの４バイトとする。即ち        車コード                ３＋５        ビット                                    ３＋５                                    ３＋５                                    ３＋５                                    ３＋５                                    ３＋５              １番項目コード            ８              １番項目データ        ２＋６                                    ２＋６                                    ２＋６                                    ２＋６              ２番項目コード            ８              ２番項目データ        ２＋６                                    ２＋６                                    ２＋６                                    ２＋６                                      ＋                                      ＋                                      ＋                                      ＋                                      ＋              ５０番項目コード          ８              ５０番項目データ      ２＋６                                    ２＋６                                    ２＋６                                    ２＋６  １車分所要バイト（ビット）数  ２５６（２０４８）  従って、７５００万台分のバイト数は、２５６バイト×７５００万＝１９２億バイトとなる。  上記のＦ６０３１の記憶密度は１６００ＲＰＩ（ＲｅｃｏｒｄｓＰｅｒＩｎｃｈ）とある。この場合では、１６００ＬＰＩ（ＬｉｎｅｓＰｅｒＩｎｃｈ）となる。同距離内では、ラインとラインの間の間隔即ちＩＲＧ（ＩｎｔｅｒＲｅｃｏｒｄｓＧａｐ）の積算は大体ラインの積算と同じくらいであるとあるので、ラインの幅は、２５．４ｍｍ÷１６００÷２＝０．００８ｍｍとなり、また、テープ幅１２．５ｍｍに９トラックのヘッドを設けているので、１ヘッド分の磁気ドットの横幅は、１２．５ｍｍ÷９÷２＝０．６７ｍｍくらいであろう。横幅はこのくらいで宜しいかも知らないが、縦幅の８／１０００ｍｍと言うのは磁気ヘッドが実際に読み取るかどうか私には信じられない。  私は、私のスチールテープが使用されうるようになっても、走行方向の磁気ドットの幅は、０．３５〜０．５０ｍｍは必要ではないかと思う。また、ＩＰＧも０．３５〜０．５０ｍｍくらい必要するとすれば、ＲＰＩは１／０．７ｍｍ〜１／１．０ｍｍとなる。また、１バイトは１ラインであるから、上算出の１９２億バイトは、０．７ｍｍ×１９２億＝１３４４万ｍ＝１３４４０ｋｍの長さのスチールテープを必要とすることになる。  それでは、これを本発明を以て行なえばどうなるのであろうか。  私は、本文をカシオワープロＨＸ８で以て１２ポイント（４．２２３ｍｍ角）で印字しているのであるが、この機の最小印字は４ポであるが、その大きさは、１ｐ（１／７２インチ＝０．３５２７８ｍｍ）×４＝１．４１１１ｍｍ角であるが、それを打ち出して見ると、それは奇麗に出る。即ち、図面のような次第である。  これで以て、自動車登録台数７５００万台を数字コード化すると、００００００００〜７４９９９９９９の８桁で済むことになる。磁気の場合の２７ビットに比べれば３．４分の１で済むのである。  また、検査証の５０項目は、００〜４９の２桁の項目コードとデータ用の００００００〜９９９９９９の６桁の計８桁で済む。  即ち、車コード                      ８      桁          １番項目コード＋データ      ８          ２番項目コード＋データ      ８                                      ＋                                      ＋                                      ＋                                      ＋        ５０番項目コード＋データ      ８  １車分所要桁数（行数）          ４０１（５１）となる。  今、行間隔（ＩＲＧ）を１ｍｍとすると、ＲＰＩは１／２．４１１ｍｍとなる。従って、７５００万台分の総行数は、５１×７５００万＝３８２５００万行であるから、必要テープ延長は、２．４１１ｍｍ×３８２５００万＝９２２２０７５ｍ＝約９２２２ｋｍとなる。即ち、スチールテープの１３４４０ｋｍより相当短くて、約６９％で済む。また、テープ幅は、１．４１１ｍｍ×８＝１１．２８８ｍｍからして、１４ｍｍくらいで宜しかろう。  先記のＦ６０３１の磁気テープは、幅１２．５ｍｍに９トラックつまり９ヘッドを並べて設けていたとあるが、果して、その幅にそのヘッド数が並びうるものか疑わしい。なお、紙テープも同じことをしていた。しかし、これらにおいても、書込み・読出しの瞬間はテープの走行を停止していた。高速間欠走行であった訳である。従って、全ヘッドや全ブラシに一度に電流が流れる訳であるが、果して、これで大丈夫なのか信じ難い。  そこで、本発明においては勿論であるが、スチールテープ磁気記憶方式においても、１個の印字ヘッドあるいは磁気ヘッドで以て、それをライン上に水平に移動させて、書込みや読取りをするようにしたい。  なお、読取りに際しては、磁気はレンズで以て拡大することは出来ないが、反射光は可能なので、印字は可能な限り小さくし、それを拡大してピントグラスに写し出して読取るように出来るので、印字のコンパクト化をどんどん追求することにしたい。  数字読取機は、ずっと以前に開発されて現在実用されている。しかし、この機を使用する際に数字を拡大していないようである。今日、嘘か本当か知らないがＣＣＤが大変な進歩をしていると言うので、それを用いれば、多桁一括読取式には光源を移動させるなどの工夫が要ると思うが、１ヘッド移動読字式など難なく出来ると思う。  若し、この方式で以て、漢字が読み取れるようになれば、本発明は超飛躍的に発達しうる。本文章の１２ポイントは、５４×５４ドット（Ｄ）である。その読取面のドットを１ドット１ｍｍ角の受光素子で以て造り、その受光素子を走査回路で以て繋ぎ得るならば、漢字読取機も夢ではなくなる。和文タイプライター時代からの私の夢であった。  しかし、文章の中の所定の１文字の拡大文字に読字面をぴったり合致させることがなかなか難しい。今、私がアイデアしている所では、５４×５４Ｄ角の周りの４辺に２×５４Ｄあるいは５４×２Ｄの受光素子を設けて、今、上下はピッタリ決まっているとすれば、先ず、行の左先端の文字に、４辺センサー付読字面を左に少しずらせて配置し、左右のセンサー（ＳｌとＳｒ）を通電して右動させ、読むべき文字をＳｒが通過して最大光量となり尚且つＳｌが最大光量になると、停止し、同時に読字面が通電して文字コードを読み取り、終ると断電して、ＳｒとＳｌも断電し、同時に右動を開始し、間もなくＳｒとＳｌが通電して、繰り返しの始めに帰るようにすると言うものである。勿論、行の上下の合致の決定も同じ機能操作で以て行なう。なお、各ドットの受光素子には若干に絞り（Ｉｒｉｓ）を設けて、若干のずれ（Ｇａｐ）を吸収しうるようにする。大体、これで行けると思う。何れ、どなたかの応援をえて、しっかりとしたものにしたい。  しかし、この読字機の需要となると、余り当てがない。和文タイプライターを使用していた時折には、切望したが、こうしてワープロの時代となっていて、本発明で以て、清書と同時にその符号記憶化が容易に出来るようになれば、それで殆どの場合に対処出来ようからである。  私は、本文のような文章を毎日ワープロしている。ペンで下書きしたものをワープロしてくれる人がほしい。市井の一般の人が気軽に雇えると宜しい。ところが、よく考えて見ると、私の下書きは用語が難しいので、まれをよく読める人は一般の人の中には少ない。例えば「忖度」を直ちに「ソンタク」と読める人は少ない。これがこのように音読できないとワープロは使えない。即ち、今の方式ではワープロは一般の人た��には普及するものではないと言える。見たままを打つことの出来た和文タイプライターの方が遙に庶民的なものであった。  そこで、ワープロを和文タイプライターのようにフルキーにしても宜しいが、それでは、キーボードが広くなり過ぎるので、私は、現在の５０音配列式キーボードに、漢字の部首（偏や冠や旁など）のキーを加えて、音や訓や熟語のみでなく、漢字の形からも打てるようにするべきである。そこで、部首の一の手偏の漢字を私のワープロの辞書で打ち出して見ると、２７１漢字も出てくる。これをキーボードの手偏キーから全て打ち出すようにすると、最悪の場合には２７１回も打たなくてはならないことになる。そこで、そのキーからは、先ずＪＩＳ第一水準の２９６５種の漢字の中から手偏の１２４漢字を打ち出すようにしてはと思ったが、しかし、これでも多いようなので、この中から使用頻度の多い、例えば、小・中学校での必修漢字の中の手偏だけを打ち出すようにして、そこで見当たらない場合には、次の水準のものが次々に高水準に向かって打ち出せるようにすると宜しかろう。  このようにして、言葉は判らなくても文字の形から打ち込めるようになれば、ワープロは庶民労働者のものとなり、各種の文章出版物の版下制作に雇用して貰えるようになる。活版印刷が廃れて、小部数出版の版下作りは和文タイプライターに頼っていたが、編集性がないためこれも廃れ、対処のしようがなくなり、出版文化が大企業に独占化されている現状に新しい打開の道を与えることになろう。日本の否世界の中小印刷業界に蘇生新出発の契機を与えうることになる。  しかし、この版下を手軽に版印刷する機械が実は開発されていない。そこで、本発明を用いた版下の印字式テープ専用の高速文章印字機が是非必要である。１台の読取機に何台もの印字機が必要に応じて接続できるようにならなくてはならない。  現在の印刷関係機器の大量処理化向け高度化は、一種の言論統制即ち水平同和主義統制を可能としているが、本発明による印刷革新はその束縛から庶民を自由開放することになろう。誰もが憲法に保障されている「良心と言論」に基づいた真の事実に関する出版が自由可能となる。  勿論、大量な版下の印刷は、高速コピーできる白黒複写機でも同じように達成できる。所謂「新刊書版」は、大体１ページ１０円足らずくらいである。用紙代を入れて裏表４円くらいでコピーできれば、現在の写真製版オフセット印刷に負けまい。  現在、従業者９人までの出版印刷業者は、全国に約１５０００者居る。これらに納めうる高速廉価白黒コピー機は、今、又とない商機を迎えた。関係業界の迅速な奮闘に大いに期待したい。  また、本発明によって、平成１４年４月２４日出願の「テレデリバリー（特願２００２−１６２１７８〉」における電話回線で以て申し込んで電話回線か或いは他の専用線で伝送される「サーキットパブリケーション」における購読機に目処が着いたと言える。紙面形態は、現在の新聞のように派手には作れないが、記事のボリュームは遙に向上しよう。即時購読も予約購読も意のままとなり、読者の期待に応えうる新聞社には大変な期待が集まろう。新聞社やテレビ局が、政治家と経営者の独占的電波水平同和主義支配の先鋒となって庶民を迫害している現状を打破しうる新文明革新たると言って差し支えなかろう。  即ち、各家庭に有線購読機が設置されれば、大掛かりな印刷設備や配達設備をしなくても、小規模設備で新聞の発行が可能となるからである。テレビ番組と違って新聞記事は保存が利くので、証拠とされやすく、出鱈目は出来ない。何事にもまあまあ的内容で、そこに収入源を求め、国民のもっと正しくもっと深くもっと広く知りたいことには殆ど応えようとして来なかった。  本発明による回線有線新聞に対する良心と良識のある階層の期待は絶大なものであろうと、私は多大な夢を抱いている。  今日まで、電子産業は余りにも電波に依存し過ぎていた。私は、その電波の性質から来る使用上の限界とその余りにも大きな有害性からの脱出を目指し、有線伝送に夢を託し、弛まざるＧｏＳｔｏｐＧｏの繰り返しの中から、この有線文明文化の限りなき大花の爛漫に蕾を付けえた。今日、ここに至ってみて、これまでの電子産業は犯罪性そのものに成り下がってしまっている。それをまだ強引に推し進めると言う無法者が跡を絶たないが、本発明などの私の一連の発明によって、彼らは終に観念せざるを得なくなっている。  電子産業のこの半世紀は実に稔りの無いものであった。これからは電波の自然破壊性が各方面から真剣に喧々ごうごうと論議されることになろう。私の体験では、原爆に会った昭和２０年は、それは梨が豊作であった。被爆者の喉を潤すために飛ぶように売れた。しかし、翌年からぱったりと出来なくなった。また、グリンピースを米作の二毛作として、食糧事情改善にと大々的に作付けした。初年度は大豊作であったが、これも翌年からぱったりと出来なくなった。また、秋口の稲田には、イナゴが群れていて、網で捕ってフライパンで煎って食べていた。蜂の子同様大変美味しいものであった。しかし、これもぱったりと現れなくなった。そして、稔りの黄金の稲穂の波にはいろんな種類のトンボが飛び交っていた。しかし、これも数年の現象にしか過ぎなかった。また、畑にはクマン蜂や紋白蝶がカボチャや豆の花などを渡り飛び回っていた。これらも徐々に減ってとうとう姿を消してしまった。そして、その所為か、燕は夏が近づいても姿を全く現わさ無くなった。最も不思議な現象は、旅から雀捕りが霞網を以て捕りに来るほどいた雀が、田圃には相変らず稲穂の波が稔り続けていると言うのに、急激に少なくなってとうとう消え去ってしまったことである。これらの小動物の消滅の現象は、全てＤＤＴから始まった農薬の犠牲だと、アメリカの何とか女史を嚆矢に世界の化学者が寄って集って定説を仮構してしまった。  その後、光化学スモッグや松喰虫や痛い痛い病などが、都会の広さや山林の広大さや海洋の広大無辺さからすれば、それは微少な化学成分の所為だと政府を先頭に定説化して来た。しかし、「花岡青洲の妻」（癌）や「複合汚染」（自然破壊）や「恍愡の人」（老人性痴呆）を著して、それらの定説化を補強した有吉佐和子は若くして鬼籍に入った。科学者特に化学者と文化人の多くは、現実の電波公害に苦しむ庶民の本当の姿とその由って来たるところを真摯に語ろうとはしないで、その由って来たる所を目眩ます仮想や誑説を弄することで以て地位を得生計を立てようとする者たちである。  これら人間と自然の共生性の破壊は何に由来しているか今や誰一人知らない者はいなくなった。にも拘らず、自己の地位の保全の為に、まだまだその電波の強力化を策する者が可なりある。  この前も、狸が二匹私の家にやって来て、私の可愛い子猫のトラを銜え去ろうとした。鳴き声に飛び出して行って、咄嗟のことに蹴散らすことが出来た。このように、悪魔を覆い隠し飾り立てる偽善化学者の説く共生の自然とは、自然の愛で以て生存すべき真の生き物たちではなく、人間と人間の生活の周辺動物だけのことを言うらしい。彼らの説く偽善の自然との共生論が、何の臆面もなく電波による国民の生存を操作して自己を保全しようとする者たちによって、政府の教育基本法の中に入り込もうとしており、電波による社会操作が政府の基本姿勢となるべく固定化させようとしている。無知と言うか無恥と言うか、今日の化学者の偽物ぶりには腹が立って仕方がない。  今や、人類に課せられた最大の課題は、電波公害の徹底的な掃討作戦である。この電波公害によって狂乱するかも知れない庶民の事態に対策するよりも、その由って来たる電波そのものの久遠の追放の可能性を論じ合わねばならない。  人間と自然を破壊し続けて来たものこそ電波の存在そのものであると言う現実を庶民は勇気を以て自己の体験に基づいて語り出さねばならない。必ず、そこから、我々の安定した未来へのＮｏｕｖｅｌｌｅｓＤｅｐａｒｔｕｒｅが約束される。  なお、今日のコンピュータリゼーションの欺瞞性も目に余るものがある。その欺瞞のコンピューターシステムに我々が最も近く接するのは、金融機関の自動現金支払機である。ところが、これに、十分に機能しうるように、現金引出者の情報を記憶しておく大容量のメモリーが存在して居ないらしい。  従って、引出者の到来を電波で以て、そのＡＴＭの本部にへばり付いているオペレーターが知って、その引出内容をディスプレーを見る引出者の目を通して知り、それによってＡＴＭに運転司令を出して、出金をさせているように思える。その為、本部には膨大な電波透視オペレーターが必要なようで、自動機でありながら、２４時間は疎か、そのオペレーターの勤務可能時間帯しか営業できない。  従って、どこかの大銀行のように、合併などすると、そのオペレーター配置に手間取り、それが完成するまで、大混乱が発生することにもなる。  また、この人員の膨大化こそ大銀行同士の或いは地方銀行同士の大合併の真の要因かも知れない。そして、このＡＴＭなど市民に触れるスーパーコンピューターと言われるものの端末機の広範な普及こそこの電波の存在を最も必要としているのかも知れない。  そうして、もう一つは、携帯電話の普及である。これらの機器のメモリーを確かなものに確立しない限り、この電波から市民は開放されることはなく、その存在に拠ることによる政治家や経営者の悪用を止めさせることは、彼らに余程の紳士性が行き渡らない限り難しい。  コンピューターを誠のものにするものこそ正当に機能する大容量メモリーである。そのメモリー装置がどの大小の本体にも手軽に十分にセットしえて、そのメモリーが退役後は便利よく長期に保管しうるようになることである。  私の二通りのメモリー装置即ちスチールテープとスチールシートそして感熱紙テープの各装置には、テープレコーダ���のカセットテープのように記録・消去・記録が何度も繰り返し行なえると言うような虚偽は言えない。  従って、記憶させるとなると、機能的には主として、これ以上書き替える必要のないものを記録しなくてはならない。今、使用しているカシオＨＸ８は８９３０文字を記憶している。これに二進法のコードを付けると、１字に１４ビットを要する。そして、この打ち出す１ページには、３６字／行×２９行＝１０４４字／頁が入る。そして、その３０ページ分が内部メモリーに記録されて、何時でも文を書き替えたり文字や字句挿入したり追加したり出来る。その字数は、１０４４字／頁×３０頁＝３１３２０字である。１字に１４ビットを必要とするので、１４ビット／字×３１３２０字＝４３８４８０ビットのメモリーが最低必要となる。このような要求に応えるＤＲＡＭ（随時書込み読出しメモリー）が存在しており、物凄く量産されていると言われているので、どうかして、それがどう言う仕組みで以てそう言う機能を果しているのか知りたいと、あらゆる機会にそれを説明したものを捜すのであるが、もう数十年間努力しても捜し当てることが出来ないでいる。  しかし、このＨＸ８を使用しても判ることであるが、この本体か或いは外部にか、「随時書込み読出し出来る何らかのメモリー装置」がない限り、このように上手く機能することは出来ない。本当に正しく機能するＤＲＡＭが存在しているのならば、それを本発明のドライブ装置ごとに上手にテープやシートと組み合せて行けば、パソコンに接続する非常に小型のものからスーパーコンピューターに同時に何十台と接続して使用しうる極めて大型の記憶装置までが色々と開発可能となると信じる。  一般的に言って、電子製品は、部品からセットまで、メーカーの原理的な商品説明や案内が公開されていない。私が子供の頃のそれらには必ずそう言う説明書や配線図が添えてあった。それが私の今日の知識の基礎を成している。子供に限らず、誰でも、その持てる能力の範囲内ではあるが、この製品はどうなっているのだろうかと興味を持つ。これに出来るだけ応えうる社会的体制が真の教育制度である。その意味で、今日は、確かに大学の数は増えたが、真に教育制度が充実したとは言い難い。ただ、為になることを教える振りを装って、学生を集め料金を取る商売が急激に増えていると言うに過ぎないのではあるまいか。  若し、これまでに述べたように、本発明を十分に使いこなすように、コンピューターシステムが正当に高度に構築されるならば、どこの企業組織も公共組織も本当に使えるコンピューターシステムを毎日業務に励めば励むほど待望し続けているに違いないので、それは莫大な市場である。どこもかしこも、企業組織や公共組織は大きくなった。昔のように、狭いエリヤの市民生活を肌に感じて経営しておれば、何とか食えた時代とは大きく変っている。より広範により詳細に然も蓄積的に情報を収集処理できなくては、終には動くことが不能に陥る。  ここに、４５年にも及ぶ興味が稔りえて、コンピューターシステム産業に輝かしい未来への本格的なＮｏｕｖｅｌｌｅｓＤｅｐａｒｔｕｒｅを提案しえたのではないかと、些か喜んでいる。
【図面の簡単な説明】
【図１】図面は、カシオワープロＨＸ８によるプロセスで以て４ポイント印字の大きさを示したものである。
【図１】
2005050293.tif 000002